(57)【要約】【課題】角パイプ端部のテーパー面の内側に裏当金を重ねて固定する際に、極めて容易に仮止めすることができる裏当金用取付け治具を提供する。【解決手段】一対の腕部２を備え略コ字状を成した本体１を形成する。一方の腕部２の先端部に締付ねじ体３を設ける。他方の腕部２の先端部に支持台２Ａを形成する。ネジ部３Ａの先端位置を、支持台２Ａの位置より内側を締め付ける位置に設置する。支持台２Ａの位置を、テーパー面Ｐ１よりも奥の内側面に当接する位置に設置する。支持台２Ａの厚みを、裏当金Ｔの厚みに一致するように形成する。裏当金Ｔの各種厚みに適合する本体１を選択使用する。【選択図】  図２
0003220474.tif 000002
【実用新案登録請求の範囲】
【請求項１】
対向する一対の腕部を備え略コ字状を成した本体と、本体の一方の腕部の先端部に設けられ他方の腕部方向に締め付けるネジ部を有する締付ねじ体と、本体の他方の腕部の先端部から本体内方向に突出する厚みを有する支持台とを備え、コラムとして使用する角パイプのテーパー面の位置の内側に裏当金を重ねて仮止めする裏当金用取付け治具であって、
一方の腕部の締付ねじ体の位置は、対向する他方の腕部先端の支持台の位置より腕部の奥の位置に当接するように設置され、
他方の腕部の支持台の位置は、本体内に挿入される角パイプのテーパー面の位置よりも奥の角パイプ内側面に当接する位置に設置され、
支持台の厚みと裏当金の厚みとが一致するように構成し、
厚みの異なる裏当金に適応した支持台を有する本体を使用することを特徴とする裏当金用取付け治具。
【請求項２】
前記締付ねじ体は、一方の前記腕部の先端部にネジ止めされる前記ネジ部と、前記ネジ部から延長された棒状のハンドル部とで構成され、該ハンドル部は前記ネジ部の反対方向に向けて湾曲状に反るように形成された請求項１記載の裏当金用取付け治具。
【請求項３】
前記ネジ部は、ねじのピッチを標準ボルトの２倍としたねじ山を有する請求項１又は２記載の裏当金用取付け治具。
【考案の詳細な説明】
【技術分野】
【０００１】
本考案は鉄骨構造物のコラム等に裏当金を仮止めする際に使用する裏当金用取付け治具に関する。
【背景技術】
【０００２】
建設現場では、鉄骨構造物の柱材に使用するコラムと称する角パイプが用いられている。このコラムで柱を構成する際に、コラムとコラムとを溶接する場合や、同じく角パイプ材から成る連結部材を梁用の継手として使用し、この連結部材を介してコラムを溶接する場合がある。
【０００３】
コラムとして使用する角パイプには、開口端部の外周部にテーパー面が全周にわたって形成されている。そして、例えば上下のコラムを溶接する場合、先ず、上部のコラムの下端部内側に帯板鋼板の裏当金をリング状に組み付け、この裏当金が少し下端部から突出するように仮止めした状態で仮溶接する。そして、下部のコラムの上端部に上部のコラムを載置し、コラムの端部と裏当金部分とを溶接して上下のコラムを固定する作業になる。
【０００４】
一方、角パイプ状の連結部材を介してコラムを溶接する場合、予め連結部材の上下端部にダイヤフラムを溶接しておく。このダイヤフラムを連結部材に溶接するには、コラムとコラムとの溶接と同様に、連結部材の角パイプの上下端部に裏当金を仮止めして仮溶接した後、角パイプの端部とダイヤフラムとを溶接する。
【０００５】
このように、コラムや連結部材として使用する角パイプの内側に組み付ける裏当金は、角パイプの端部から僅かに突出させる必要がある。そのため、この裏当金が突出する長さを正確にすることが可能な溶接用裏当て治具が特許文献１に記載されている。
【０００６】
この治具によると、裏当金の外周面に突起を設け、この突起が角パイプの開口端部に当接することで、裏当金が突出する長さを正確にするというものである。
【０００７】
ところが、特許文献１に記載の治具では、裏当金の突出長さを正確にすることは可能でも配置した裏当金を角パイプの内側に仮止めすることはできない治具であった。
【０００８】
そこで、この裏当金を角パイプの内側に仮止めする従来の手段として、例えばシャコ万力などの工具が利用されている。
【先行技術文献】
【特許文献】
【０００９】
【特許文献１】特開昭６１-１３５４７７号公報
【考案の概要】
【考案が解決しようとする課題】
【００１０】
ところが、シャコ万力を利用して裏当金を角パイプの内側に仮止めするには極めて多くの作業が必要になっていた。すなわち、図３に示す如く、シャコ万力１０を使用して裏当金Ｔを仮止めしようとすると、ネジ部１１の先端と裏当金Ｔを支持する支持部１２とが一直線状になっていることから、全周にわたって形成されているテーパー面Ｐ１にネジ部１１の先端が突き当たる不都合が生じる。
【００１１】
この結果、シャコ万力等の工具を利用して裏当金を仮止めする作業は、このような不具合を解消するために、各工場でそれぞれ工夫しながら行う作業になっており、裏当金の仮止め作業に極めて多くの手間を要しているのが実情である。
【００１２】
そこで本考案は、上述の課題を解消すべく案出されたもので、角パイプの端部外面に形成されたテーパー面の内側に裏当金を重ねて仮止めする際に、極めて容易な作業で仮止めすることができる裏当金用取付け治具の提供を目的とするものである。
【課題を解決するための手段】
【００１３】
上述の目的を達成すべく本考案における第１の手段は、対向する一対の腕部２を備え略コ字状を成した本体１と、本体１の一方の腕部２の先端部に設けられ他方の腕部２方向に締め付けるネジ部３Ａを有する締付ねじ体３と、本体の他方の腕部２の先端部から本体１内方向に突出する厚みを有する支持台２Ａとを備え、
コラムとして使用する角パイプＰのテーパー面Ｐ１の位置の内側に裏当金Ｔを重ねて仮止めする裏当金用取付け治具であって、
一方の腕部２の締付ねじ体３の位置は、対向する他方の腕部２先端の支持台２Ａの位置より腕部２の奥の位置に当接するように設置され、
他方の腕部２の支持台２Ａの位置は、本体１内に挿入される角パイプＰのテーパー面Ｐ１の位置よりも奥の角パイプＰ内側面に当接する位置に設置され、
支持台２Ａの厚みと裏当金Ｔの厚みとが一致するように構成し、
厚みの異なる裏当金Ｔに適応した支持台２Ａを有する本体１を使用することにある。
【００１４】
第２の手段の前記締付ねじ体３は、一方の前記腕部２の先端部にネジ止めされる前記ネジ部３Ａと、前記ネジ部３Ａから延長された棒状のハンドル部３Ｂとで構成され、該ハンドル部３Ｂは前記ネジ部３Ａの反対方向に向けて湾曲状に反るように形成されている。
【００１５】
第３の手段の前記ネジ部３Ａは、ねじのピッチを標準ボルトの２倍としたねじ山を有するものである。
【考案の効果】
【００１６】
請求項１のごとく、一方の腕部２の締付ねじ体３の位置は、対向する他方の腕部２先端の支持台２Ａの位置より腕部２の奥の位置に当接するように設置され、他方の腕部２の支持台２Ａの位置は、本体１内に挿入される角パイプＰのテーパー面Ｐ１の位置よりも奥の角パイプＰ内側面に当接する位置に設置され、支持台２Ａの厚みと裏当金Ｔの厚みとが一致するように構成しているので、従来のシャコ万力等では仮止めが困難であったテーパー面Ｐ１付近の裏当金Ｔを、極めて容易に仮止めできるようになった。
【００１７】
しかも、厚みの異なる裏当金Ｔに適応した支持台２Ａを有する本体１を使用することで、従来の万力のように、部材に合わせて調整する作業等は一切必要なくなり、各種厚みの裏当金Ｔに応じて極めて合理的な作業を行うことができる。
【００１８】
請求項２の締付ねじ体３は、ハンドル部３Ｂがネジ部３Ａの反対方向に向けて湾曲状に反っているので、持ち易く、回し易い形状のハンドル部３Ｂになっている。
【００１９】
請求項３のごとく、ネジ部３Ａは、ねじのピッチを標準ボルトの２倍としたねじ山を有するので、半分の回転数で締結でき、ネジ部３Ａの締付速度が速くなる。
【００２０】
このように本考案によると、コラムとして使用する角パイプのテーパー面の内側に配置する裏当金を極めて容易に仮止めすることができるといった当初の目的を達成した。
【図面の簡単な説明】
【００２１】
【図１】本考案の使用状体を示す斜視図である。
【図２】本考案の使用状体を示す側面図である。
【図３】従来の使用状体を示す側面図である。
【考案を実施するための形態】
【００２２】
以下、本考案の実施例を説明する。本考案は、コラムとして使用する角パイプＰのテーパー面Ｐ１の内側に裏当金Ｔを重ねて仮止めする取付け治具である。
【００２３】
本考案の構成は、略コ字状を成した本体１と締付ねじ体３とを備え、全体が万力形状を成している（図１参照）。
【００２４】
本体１は、対向する一対の腕部２を備えた部材で、一方の腕部２の先端部に締付ねじ体３を設け、他方の腕部２の先端に支持台２Ａを設けている（図２参照）。
【００２５】
この支持台２Ａは、本体１の内方向、すなわち本体１内部に挿入した角パイプＰ方向に突出する厚みを有するもので、裏当金Ｔの厚みと同じ厚みに形成している（図２参照）。更に、この支持台２Ａの位置は、角パイプＰのテーパー面Ｐ１の位置よりも奥の内側面に当接する位置に設置される。
【００２６】
一方、締付ねじ体３は一方の腕部２の先端部に設けられ、他方の腕部２方向に締め付けるネジ部３Ａを有する部材である（図２参照）。このネジ部３Ａの先端は、対向する他方の腕部２先端の支持台２Ａの位置より腕部２の奥の位置に当接する位置に設置されている。
【００２７】
図示例では、ネジ部３Ａとハンドル部３Ｂとで締付ねじ体３を構成している（図１参照）。ネジ部３Ａは、一方の腕部２の先端部に形成した雌ネジ部２Ｂにネジ止めされている（図２参照）。このネジ部３Ａは、特に、ねじのピッチを標準ボルトの２倍に設定することで、締付ねじ体３の回転操作の速度を速めている。
【００２８】
また、ハンドル部３Ｂは、ネジ部３Ａから延長された棒状の部位で、このハンドル部３Ｂはネジ部３Ａの反対方向に向けて湾曲状に反るように形成されている。このようなハンドル部３Ｂによると、締付ねじ体３を操作する手に馴染み易くなり、回転操作を楽にすることができる。
【００２９】
そして、裏当金Ｔの各種厚みに適合する支持台２Ａを備えた本体１を複数種類形成し、使用する裏当金Ｔの厚みに応じた本体１を選択使用するように構成している。すなわち、工場や作業現場で使用する裏当金Ｔの厚みに適合する本体１を準備しておくだけで、常に合理的な仮止めをすることができる。
【００３０】
尚、本考案の構成は、図示例に限定されるものではなく、本体１や腕部２、締付ねじ体３等の構成は、本考案の主旨を変更しない範囲での設計変更や形状、設置位置等は任意に行えるものである。
【符号の説明】
【００３１】
Ｐ  角パイプ
Ｐ１  テーパー面
Ｔ  裏当金
１  本体
２  腕部
２Ａ  支持台
２Ｂ  雌ネジ部
３  締付ねじ体
３Ａ  ネジ部
３Ｂ  ハンドル部
１０  シャコ万力
１１  ネジ部
１２  支持部
【図１】
0003220474.tif 000003
【図２】
0003220474.tif 000004
【図３】
0003220474.tif 000005